(57)【要約】  【課題】  長尺足場板の滑り止めには、ゴム、ウレタン系成形材等を嵌め込む製造作業が必要であり、部材が多いことや製造作業時間やコストが高くなる課題があった。  【解決手段】  長尺足場板１の懸架面３の長手方向に多数の突起３０を設ける長尺足場板１、又は長尺足場板１の懸架面３の長手方向に多数の突起３０を設けるとともに、突起３０の同士の間隔が、水平材又は横架材５の直径より狭い間隔である長尺足場板１によって解決する。【選択図】  図２
2005336756.tif 000002
【特許請求の範囲】
【請求項１】
懸架面の長手方向に多数の突起を設けたことを特徴とする長尺足場板。
【請求項２】
懸架面の長手方向に多数の突起を設けるとともに、突起の同士の間隔が、水平材又は横架材の直径より狭い間隔であることを特徴とする長尺足場板。
【請求項３】
懸架面の長手方向に多数の突起を複数列に設けるとともに、突起の同士の間隔が、水平材又は横架材の直径より狭い間隔であることを特徴とする長尺足場板。
【発明の詳細な説明】
【技術分野】
【０００１】
この発明は、建築現場等において使用する長尺足場板に関する。
【背景技術】
【０００２】
建築現場等において使用される長尺足場板は、床板の四隅につかみ金具を有する床板付き布枠ではなく、いわゆる床板のみからなる足場板である。
【０００３】
このような床板のみからなる長尺足場板は、通常単管足場の水平材、あるいは建枠の横架材に懸架させて、番線等で水平材や横架材に固定していた。
【０００４】
そして、長尺足場板１０の懸架面１００には、従来嵌合部を設け、その嵌合部に滑り止め部材Ｓとしてゴム、ウレタン系成形材等を取り付ける（図２６参照）か、又は懸架面に接着剤付ゴムテープを貼り付けて滑り止めとするか、砂入り塗料を塗布して滑り止めとするなどした構成が知られている。
【発明の開示】
【発明が解決しようとする課題】
【０００５】
しかし、従来技術である図２６に示す滑り止めでは、嵌合凹部にゴム、ウレタン系成形材等Ｓを取り付ける作業が必要であり、部材が多いことや製造作業に時間が掛ることにより製造価格が高くなる課題があった。更に、嵌合部材が、使用現場で外れてなくなる問題点もあった。
【０００６】
また、使用現場で長尺足場板の懸架面に接着剤付ゴムテープを貼り付けるか、砂入り塗料を塗布するなどして滑り止めとする場合は、その使用現場毎にその取付作業を行うことが必要となる課題があった。更に、足場の解体作業で、接着剤や塗料が水平材や横架材に残る課題があった。
【課題を解決するための手段】
【０００７】
上記の課題を解決するために、懸架面の長手方向に多数の突起を設けたことを特徴とする長尺足場板を提案する。
【０００８】
また、懸架面の長手方向に多数の突起を設けるとともに、突起の同士の間隔が、水平材又は横架材の直径より狭い間隔であることを特徴とする長尺足場板を提案する。
【０００９】
更に、懸架面の長手方向に多数の突起を複数列に設けるとともに、突起の同士の間隔が、水平材又は横架材の直径より狭い間隔であることを特徴とする長尺足場板を提案する。
【発明の効果】
【００１０】
この発明によれば、足場板の滑り止め作用をする突起を製造時に同一の鋼板により一体的に加工して製造することができるため、製造時間、製造コストが非常に低下した。また、ゴム、ウレタンなど別部材を使用しないため、扱いが容易で、従来より保管、運搬の作業が安全で行いやすい効果がある。
【００１１】
また、足場板を現場で使用する時に、滑り止め用に接着剤付きゴムテープの貼り付け作業や塗料の塗布作業の必要がないので、作業効率が向上するとともに、接着剤や塗料の塗布による足場板の扱いにくさや、汚れなどの問題も起こらない効果がある。
【００１２】
更に、請求項２及び請求項３に係る発明では、多数の突起が長手方向に設けられ、かつ突起間の間隔が、水平材や横架材の単管直径より狭い間隔で設けられるため、長尺足場板の長さや、水平材や横架材の間隔にかかわらず移動せず、滑り止めの作用が確実である。
【発明を実施するための最良の形態】
【００１３】
次にこの発明の実施形態である長尺足場板の使用状態の正面図を示す図１、同じく図１のＡ部拡大図である図２、同じくＡ部を斜め下方から見上げた説明図である図３、懸架面の別の実施例を示す部分斜視底面図である図４に基づいて説明する。尚、図５乃至図２５は、この発明の実施形態の突起の各種実施例形状を示す説明図である。
【００１４】
長尺足場板１は、長さ１０００ｍｍ〜４０００ｍｍ、幅１２０ｍｍ〜３００ｍｍ、厚さ３０ｍｍ〜６５ｍｍ程度の鋼鉄素材からなる平面視長方形の足場板である。長尺足場板１は、作業者が歩く上面側の歩行面２と、水平材や横架材である水平単管５に接する下面側である懸架面３を有している。
【００１５】
懸架面３は、図３に示す実施例では、長尺足場板１の長手方向両端部の他、端部歩行面２の幅方向左右から側面４を経て歩行面２と平行に内側に折曲げられた左右部分面３ａ、３ａの鋼鉄板からなり、それぞれ中央側端辺を側面４と平行に上方へ直角に折曲げている。そして、それぞれの左右の懸架面３ａ、３ａの長手方向に１列ずつ突起３０を設けている。
【００１６】
また、懸架面３の他の実施例を示す図４は、長尺足場板１の長手方向両端部の他、左右両側及び中央部の長手方向に歩行面２と平行な鋼鉄板からなり、突起３０は、それぞれの懸架面３ｂの長手方向に列状に多数設けた突起３０列を４列設けている。
【００１７】
懸架面３の長手方向に列状に設けられる突起３０同士の間隔は、一般的には水平材又は横架材などに使用される水平単管５の直径より狭い間隔であるが、水平単管５の直径より間隔が広くても可能である。この明細書において突起３０同士の間隔とは、突起３０の長手方向中心から隣接する突起３０の長手方向中心までの寸法である。
【００１８】
突起３０の形状、及び互いの突起３０間の間隔は、多数ある。図１乃至図４及び図５乃至図７に示した第１実施例の突起３０ａの形状は、端面が開口し円周基部が裾状に広がる円筒で、一般的にバーリング形状と称されている。
【００１９】
図８乃至図１０に示した第２実施例の突起３０ｂの形状は、一般的にルーバと称される形状であり、それぞれの突起３０ｂが長手方向の片方向が開口して、逆方向が曲面で閉鎖される形状である。
【００２０】
図１１乃至図１３に示した第３実施例の突起３０ｃの形状は、一般的にブリッジと称される形状であり、それぞれの突起３０ｃが長手方向には前後とも開口して、幅方向で架橋されている突起形状である。
【００２１】
図１４乃至図１６に示した第４実施例の突起３０ｄの形状は、切越し加工によって形成されるもので一般的にランシングと称される形状である。第４実施例の突起３０ｄは、懸架面３０を長方形に切り取った板状部分を、それぞれ長手方向の同じ方向に向いて斜め下面方向に折曲げてなる。
【００２２】
図１７乃至図１９に示した第５実施例の突起３０ｅの形状は、一般的にニブリング加工によって形成されるビーディングと称される形状である。
【００２３】
図２０乃至図２２に示した第６実施例の突起３０ｆは、形状は第５実施例の突起ｅと同じビーディング形状であるが突起３０ｆを連続させて突起３０ｆ間の間隔を非常に狭くして、ほとんど連続して突起３０ｆを形成した実施例である。
【００２４】
図２３乃至図２５に示した第７実施例の突起３０ｇの形状は、一般的にエンボスと称される形状であり、それぞれの突起３０ｃの形状は円錐台形状である。
【００２５】
水平単管５の直径は、通常建枠の横架材が４２．７ｍｍ、水平材が４８．６ｍｍである。
【産業上の利用可能性】
【００２６】
建築現場等において単管足場の水平材、あるいは建枠の横架材に懸架させて、使用される床板のみからなる安全性の高い長尺足場板として利用可能性が高い。
【図面の簡単な説明】
【００２７】
【図１】この発明の実施形態である長尺足場板の使用状態の正面図
【図２】同じく図１のＡ部拡大正面図
【図３】同じく図１のＡ部を斜め下方から見上げた説明図
【図４】この発明の実施形態である長尺足場板の懸架面の図３とは異なる実施例を示す部分斜視底面図
【図５】この発明の実施形態の突起の第１実施例を示す説明図であり、長尺足場板の懸架面の部分斜視図
【図６】図５に示す第１実施例の突起の断面正面図
【図７】図５に示す第１実施例の突起の底面図
【図８】この発明の実施形態の突起の第２実施例を示す説明図であり、長尺足場板の懸架面の部分斜視図
【図９】図８に示す第２実施例の突起の断面正面図
【図１０】図８に示す第２実施例の突起の底面図
【図１１】この発明の実施形態の突起の第３実施例を示す説明図であり、長尺足場板の懸架面の部分斜視図
【図１２】図１１に示す第３実施例の突起の断面正面図
【図１３】図１１に示す第３実施例の突起の底面図
【図１４】この発明の実施形態の突起の第４実施例を示す説明図であり、長尺足場板の懸架面の部分斜視図
【図１５】図１４に示す第４実施例の突起の断面正面図
【図１６】図１４に示す第４実施例の突起の底面図
【図１７】この発明の実施形態の突起の第５実施例を示す説明図であり、長尺足場板の懸架面の部分斜視図
【図１８】図１７に示す第５実施例の突起のＡＡ断面図
【図１９】図１７に示す第５実施例の突起のＢＢ断面図
【図２０】この発明の実施形態の突起の第６実施例を示す説明図であり、長尺足場板の懸架面の部分斜視図
【図２１】図２０に示す第６実施例の突起のＣＣ断面図
【図２２】図２０に示す第６実施例の突起のＤＤ断面図
【図２３】この発明の実施形態の突起の第７実施例を示す説明図であり、長尺足場板の懸架面の部分斜視図
【図２４】図２３に示す第７実施例の突起の断面正面図
【図２５】図２３に示す第７実施例の突起の底面図
【図２６】従来技術を示す長尺足場板の断面図
【符号の説明】
【００２８】
１  長尺足場板
２  歩行面（上面）
３  懸架面（下面）
３０  突起
３０ａ  突起（第１実施例）
３０ｂ  突起（第２実施例）
３０ｃ  突起（第３実施例）
３０ｄ  突起（第４実施例）
３０ｅ  突起（第５実施例）
３０ｆ  突起（第６実施例）
３０ｇ  突起（第７実施例）
４  側面
５  水平単管（水平材、横架材）
【図１】
2005336756.tif 000003
【図２】
2005336756.tif 000004
【図３】
2005336756.tif 000005
【図４】
2005336756.tif 000006
【図５】
2005336756.tif 000007
【図６】
2005336756.tif 000008
【図７】
2005336756.tif 000009
【図８】
2005336756.tif 000010
【図９】
2005336756.tif 000011
【図１０】
2005336756.tif 000012
【図１１】
2005336756.tif 000013
【図１２】
2005336756.tif 000014
【図１３】
2005336756.tif 000015
【図１４】
2005336756.tif 000016
【図１５】
2005336756.tif 000017
【図１６】
2005336756.tif 000018
【図１７】
2005336756.tif 000019
【図１８】
2005336756.tif 000020
【図１９】
2005336756.tif 000021
【図２０】
2005336756.tif 000022
【図２１】
2005336756.tif 000023
【図２２】
2005336756.tif 000024
【図２３】
2005336756.tif 000025
【図２４】
2005336756.tif 000026
【図２５】
2005336756.tif 000027
【図２６】
2005336756.tif 000028